(57)【要約】【課題】  付加回路モジュールを背面に装着した電子装置において、背面が壁に近接すると付加回路モジュールを脱着しにくい。【解決手段】  電子装置に設けられ無線ＬＡＮカード２２を装着されるカード装着コネクタを上下方向に回動可能とする。装置背面には近接センサ３４を設け、その出力に基づいて装置背面が壁に近接したことを近接検知部３６が検知する。壁に近接した場合、制御部４４は駆動部４２を制御し、無線ＬＡＮカード２２を装置後方に向く位置から鉛直上方に向く位置へ回動させる。【選択図】        図２
2005079754.tif 000002
【特許請求の範囲】
【請求項１】
外部から付加回路モジュールを取り付け可能な電子装置において、
回動可能に設けられ、前記付加回路モジュールを着脱可能に前記装置本体に連結する連結手段と、
前記連結手段を回動させる駆動手段と、
前記駆動手段を制御する制御手段と、
第１方向の所定距離内に近接する障害物を検知する障害物検知手段と、
を有し、
前記制御手段は、
前記障害物が検知された場合、前記第１方向とは異なる所定の第２方向に前記付加回路モジュールが向くように前記連結手段を回動させること、
を特徴とする電子装置。
【請求項２】
請求項１に記載の電子装置において、
前記第１方向は前記装置本体に対して横向きであり、
前記第２方向は前記装置本体に対して上向きであること、
を特徴とする電子装置。
【請求項３】
請求項１又は請求項２に記載の電子装置において、
前記制御手段は、
前記障害物が検知されない場合、前記第１方向に前記付加回路モジュールが向くように前記連結手段を回動させること、
を特徴とする電子装置。
【発明の詳細な説明】
【技術分野】
【０００１】
本発明は、外部から付加回路モジュールを取り付け可能な電子装置に関する。
【背景技術】
【０００２】
公衆電話回線、或いはケーブルネット回線にパーソナルコンピュータ（ＰＣ）等を接続する無線ＬＡＮ装置（例えばルータ、アクセスポイント）において、その無線通信を、当該装置本体に着脱可能な無線ＬＡＮカードに担わせる構成が知られている。
【０００３】
従来の構成では、装置本体の背面には、ＵＳＢコネクタを差し込むジャック等の他、カードスロットが設けられ、ここに無線ＬＡＮカードが装着される。このカードスロットの位置は固定されており、装置本体に装着された無線ＬＡＮカードは移動させることができない。
【０００４】
下記特許文献１には、アンテナ収納部内に収容される第１位置とカード基体から突出される第２位置との間を移動自在に取り付けられた無線通信用送受信アンテナが回動自在に取り付けられ、無線通信を行わない場合には無線通信用送受信アンテナをアンテナ収納部に収容することによってカード基体内に収めることができ、また無線通信を行う場合には無線通信用送受信アンテナをアンテナ収納部から引き出してカード基体から外部に取り出すことができるＰＣカードが記載されている。
【特許文献１】特開平８−２７９０２７号公報
【発明の開示】
【発明が解決しようとする課題】
【０００５】
装置はその周囲に他の物が存在する環境に配置され得る。これは上述の無線ＬＡＮカードのような付加回路モジュールが装着された装置においても同様である。そのため、付加回路モジュールに近接して周囲物が存在し、当該付加回路モジュールを挿抜しにくい状態に置かれる場合がある。すなわち例えば、装置の背面に付加回路モジュールが差し込まれている場合に当該背面を壁に近づけて配置すると、ユーザが付加回路モジュールを挿抜しようとしても背面と壁との間に手を差し込むことができなかったり、壁と付加回路モジュールとの間に挿抜のためのストローク分の隙間がないために、挿抜が困難となる場合があるといった問題があった。
【０００６】
本発明は上述の問題点を解決するためになされたものであり、装置が周囲物との間隔が狭い状況に置かれても、付加回路モジュールの脱着を容易とする電子装置を提供することを目的とする。
【課題を解決するための手段】
【０００７】
本発明に係る電子装置は、回動可能に設けられ付加回路モジュールを着脱可能に前記装置本体に連結する連結手段と、前記連結手段を回動させる駆動手段と、前記駆動手段を制御する制御手段と、第１方向の所定距離内に近接する障害物を検知する障害物検知手段とを有し、前記制御手段が、前記障害物が検知された場合、前記第１方向とは異なる所定の第２方向に前記付加回路モジュールが向くように前記連結手段を回動させる。
【０００８】
本発明の好適な態様は、前記第１方向は前記装置本体に対して横向きであり、前記第２方向は前記装置本体に対して上向きである電子装置である。
【０００９】
他の本発明に係る電子装置においては、前記制御手段が、前記障害物が検知されない場合、前記第１方向に前記付加回路モジュールが向くように前記連結手段を回動させる。
【発明の効果】
【００１０】
本発明によれば、外部から付加回路モジュールを取り付け可能な電子装置において、付加回路モジュールを取り付けた部分に壁などの障害物が近接した場合に、当該付加回路モジュールが回動され、障害物と装置との隙間に付加回路モジュールが置かれる状況が回避されるので、ユーザが付加回路モジュールを脱着しやすい状態に保つことが可能となる。
【発明を実施するための最良の形態】
【００１１】
以下、本発明の実施の形態（以下実施形態という）について、図面に基づいて説明する。本実施形態は無線ＬＡＮアクセスポイントに関するものである。図１は、インターネット網からパーソナルコンピュータ（ＰＣ）までの１つの接続形態を示す模式図であり、この図は、無線ＬＡＮを介した接続形態を示している。この接続形態は、移動先からインターネットを利用するのに都合がよく、普及が見込まれており、具体的には、各所に配置される無線ＬＡＮアクセスポイント２が例えばＡＤＳＬモデム、ＣＡＴＶモデムといったモデム４を介して通信回線に接続され、この通信回線は電話局、ケーブルネット局、又はインターネットプロバイダ６を経由してインターネット網８に接続される。そして、ＰＣ１０がそれに装着された無線ＬＡＮカード１２を介して、無線ＬＡＮアクセスポイント２と無線方式での通信路を確立することによって、ＰＣ１０はインターネット網８に接続される。
【００１２】
無線ＬＡＮの無線通信方式にはＩＥＥＥ８０２．１１ａ，１１ｂ，１１ｇ等の複数の規格が存在する。本実施形態に係る無線ＬＡＮアクセスポイントは、無線通信規格が異なる無線ＬＡＮカードのうちのいずれか選択されたものを本体に装着して使用されるものである。このように無線ＬＡＮカードを装着する構成では、必要に応じて無線ＬＡＮカードを交換するだけで、様々な規格に対応することが可能であり都合がよい。
【００１３】
図２は、無線ＬＡＮアクセスポイント２に関する概略のブロック図である。無線ＬＡＮアクセスポイント２は、本体２０と無線ＬＡＮカード２２とから構成される。本体２０はインターフェース部３０、信号処理部３２、近接センサ３４、近接検知部３６、２つのエンドセンサ３８、端部検出部４０、駆動部４２、制御部４４及び電源部４６を含んで構成される。無線ＬＡＮカード２２は、信号処理部４８、アンテナ部５０、システム制御部５２を含んで構成される。モデム４からの信号は、インターフェース部３０で変換され、信号処理部３２で所定の信号処理を行った後、接続コネクタにより本体２０に接続された無線ＬＡＮカード２２に送られる。無線ＬＡＮカード２２は本体２０側から受け取った伝送信号に対し、信号処理部４８にて無線通信方式の規格に応じて異なる信号処理を行い、生成された無線信号がアンテナ部５０から送信される。送信された無線信号は、ＰＣ１０に接続された無線ＬＡＮカード１２にて受信され、これによりインターネット網８側からＰＣ１０へのデータ伝送が実現される。一方、ＰＣ１０からインターネット網８へ向けたデータ伝送では、無線ＬＡＮアクセスポイント２は無線ＬＡＮカード２２のアンテナ部５０にてＰＣ１０側からの無線信号を受信し、送信時とは逆の手順を踏んで、伝送信号をモデム４へ送出する。なお、インターフェース部３０及び信号処理部３２は電源部４６から電源供給を受け、制御部４４の制御の下で動作する。無線ＬＡＮカード２２は、接続コネクタを介して本体２０の電源部４６から電源供給を受けて動作し、その動作はシステム制御部５２によって制御される。
【００１４】
本無線ＬＡＮアクセスポイント２は、無線ＬＡＮカード２２が本体２０に対して着脱可能であるとと共に、本体２０の無線ＬＡＮカード２２が取り付けられる部分が後に詳述するように向きを可動に構成され、無線ＬＡＮカード２２の向きを自動的に変更することができる。近接センサ３４、近接検知部３６、エンドセンサ３８、端部検出部４０及び駆動部４２は、この無線ＬＡＮカード２２の向きの自動制御のために設けられている。
【００１５】
駆動部４２は、無線ＬＡＮカード２２が取り付けられる回動可能部分に力を作用させて当該部分を回転させる。
【００１６】
近接センサ３４は、本体２０の背面に設けられ、本体２０の後方に位置する物体までの距離に応じた信号を生成する。この近接センサ３４の位置は、後述するように無線ＬＡＮカードが本体２０の後方へ向く位置に回動することに対応している。近接センサ３４は例えば、赤外線反射型のセンサや、超音波反射型のセンサであり、これらは赤外線や超音波の信号を送信し、物体からの反射信号を受信して出力する。
【００１７】
近接検知部３６は近接センサ３４の出力信号に基づいて本体２０の後方の所定距離内に物体が存在するか否かを判断し、その結果を制御部４４に通知する。制御部４４は近接検知部３６の出力に基づいて駆動部４２を制御する。具体的には、本体２０の後方所定距離内に物体が検知されると、制御部４４は無線ＬＡＮカード２２の仰角を増加させる向きへ駆動部４２による回動を開始させる。一方、後方所定距離内に物体が検知されなくなった場合には、制御部４４は無線ＬＡＮカード２２の仰角を低減させる向きへ駆動部４２による回動を開始させる。
【００１８】
エンドセンサ３８-1は無線ＬＡＮカード２２の仰角を増加する方向への回動の終点、例えば鉛直上方位置に達したことに応じて信号を発生し、一方、エンドセンサ３８-2は無線ＬＡＮカード２２の仰角を低下する方向への回動の終点、例えば水平位置に達したことに応じて信号を発生する。エンドセンサ３８は例えば、赤外線透過型の物体検知センサを用いることができる。当該センサは、赤外線の発光部と受光部との間隙を透過する赤外線が遮断されることを以て、当該間隙に物体が存在することを検知することができる。本装置では、回動可能部分が回動の終点に達すると当該センサの赤外線の経路を遮断するように発光部及び受光部が配置される。
【００１９】
端部検出部４０はこれらエンドセンサ３８の受光部の出力信号に基づいて、無線ＬＡＮカード２２の回動を停止させるべき位置に達したことを検知して制御部４４に通知する。制御部４４は端部検出部４０の出力に基づいて駆動部４２を停止させる。
【００２０】
以下、まず、無線ＬＡＮカード２２の回動に関係する機構を説明する。図３は本無線ＬＡＮアクセスポイント２の概略の斜視図であり、この図は無線ＬＡＮカード２２が取り付けられる背面側上部を主に示すためのものである。本体２０の筐体６０の背面側上部には上面から背面にかけてスリット６２が設けられ、これに沿って無線ＬＡＮカード２２は、上面に垂直に装着される位置（図５に示す鉛直位置６６）と背面に垂直に装着される位置（図５に示す水平位置６８）との間を回動することができる。その回動に対応して、筐体６０の後部上方はスリット６２に沿った断面の外側輪郭が円弧となる形状に構成される。この円弧の中心は回動の中心に合わせられる。これより、無線ＬＡＮカード２２が本体２０から突出する部分は、鉛直位置６６から水平位置６８までのいずれの位置においても一定に保たれる。これにより、いずれの回動位置においても無線ＬＡＮカード２２のアンテナ部５０が本体２０の外側に保たれ、良好な通信状態の維持が図られる。無線ＬＡＮカード２２の脇には、その回動に連動して移動する表示部６４が設けられ、その点滅によって無線ＬＡＮカード２２の状態（例えば、無線ＬＡＮカード２２の受信強度）を表示する。また、筐体６０の背面には、近接センサ３４が設けられている。
【００２１】
無線ＬＡＮカード２２は筐体６０内部に設けられる回動部に装着されて、この回動部に連動して回動することができる。図４は、この回動部７０の概略の斜視図である。また図５は、スリット６２に沿った垂直断面上での本体２０の背面上部の概略の断面図である。回動部７０は水平な軸７２の両端を例えば筐体６０の両側面内側に設けられる軸受け（図示せず）によって支持され、この軸７２を中心として鉛直位置６６と水平位置６８との間を仰角方向に回動する。軸７２には回動の半径方向に延びるアーム７４の一端が固定され、そのアーム７４の他方端には移動基板７６が取り付けられる。
【００２２】
移動基板７６の表面にはカード装着コネクタ７８及び表示部６４が配置される。カード装着コネクタ７８は無線ＬＡＮカード２２を装着するためのものであり、これに無線ＬＡＮカード２２のコネクタ８０が差し込まれることにより、無線ＬＡＮカード２２は移動基板７６に装着される。表示部６４は移動基板７６に取り付けられたＬＥＤ（Light Emitting Diode）８２と、その外側を覆い、ＬＥＤ８２が発する光を筐体６０の外側まで導くライトガイド８４とから構成される。
【００２３】
移動基板７６は、フラットケーブル等のフレキシブルなケーブル８６を介して本体２０に固定された本体基板８８と電気的に接続される。すなわち、移動基板７６上の配線及びケーブル８６により、カード装着コネクタ７８及びＬＥＤ８２と本体基板８８側に設けられる回路との間の信号の伝達が行われる。なお、ケーブル８６は回動部７０のいずれの位置においても移動基板７６に届くようにその長さを設定される。ちなみにケーブル８６と移動基板７６及び本体基板８８とはそれぞれケーブルコネクタ９０，９２により脱着可能に構成することができる。
【００２４】
移動基板７６の表側にはシールド９４が取り付けられる。このシールド９４は、カード装着コネクタ７８の周囲から主として回動方向に延びる突出部を構成し、スリット６２の開口のうち、カード装着コネクタ７８（若しくは移動基板７６）が位置していない部分に生じる隙間を塞ぐ。このシールド９４により外部から本体２０内部へ埃が侵入するのを防ぐ。その目的から、シールド９４の回動方向に関する突出長さは、無線ＬＡＮカード２２を鉛直位置６６、水平位置６８のいずれに配置したときもスリット６２とシールド９４の先端部との間に隙間が生じないように定められる。また同じ目的から、シールド９４の幅、すなわち回動方向と直交する方向の寸法は、スリット６２の幅より大きく定められる。さらに同じ目的からシールド９４と筐体６０内側におけるスリット６２の開口端とは互いに密接するような形状とされる。例えば、図４及び図５に示すようにシールド９４は軸７２を中心とした円弧形状に形成され、それに合わせてスリット６２の内側開口端も垂直断面形状が軸７２を中心とした円弧となるように構成される。シールド９４にはカード装着コネクタ７８、表示部６４それぞれに対応した位置に開口が設けられ、移動基板７６をシールド９４の裏側から取り付けると、それらの開口からカード装着コネクタ７８及び表示部６４がシールド９４の表側に現れるようになっている。
【００２５】
本体２０は駆動部４２としてモータ９６を備え、そのモータ９６の駆動力が例えば、ギヤ９７等を介して回動部７０に伝達される。これにより、回動部７０は回動し、無線ＬＡＮカード２２の仰角が変更される。後述するように、モータ９６は近接センサ３４の出力に応じて回転を開始される。一方、モータ９６の回転を停止させるためにエンドセンサ３８が設けられている。エンドセンサ３８は赤外線の発光部と受光部とからなり、それらは回動部７０を間に挟んで対向配置される。一方、例えば、移動基板７６の回動方向両端部には遮光用突起部９８-1，９８-2が設けられる。エンドセンサ３８-1は、無線ＬＡＮカード２２が鉛直位置６６にある場合に、遮光用突起部９８-1がエンドセンサ３８-1の発光部と受光部との間に位置し、両者間を送受される赤外線を遮断するように設けられる。同様にエンドセンサ３８-2は、無線ＬＡＮカード２２が水平位置６８にある場合に、遮光用突起部９８-2がエンドセンサ３８-2の発光部と受光部との間に位置し、両者間を送受される赤外線を遮断するように設けられる。
【００２６】
モータ９６の動作、停止を行い無線ＬＡＮカード２２の位置を決定する回動制御は制御部４４が行う。制御部４４は例えばマイクロプロセッサを用いて演算処理及び制御処理を行い以下に述べる動作を実行する。図６は、制御部４４による回動制御の一例の概略のフロー図である。近接検知部３６は近接センサ３４の出力信号に基づいて本体２０後方に位置する物体までの距離を求め、当該距離と所定の閾値との比較結果を出力する。ここで所定の閾値は、水平位置６８にある無線ＬＡＮカード２２をユーザが脱着可能であることに応じて定められる。具体的には、閾値は無線ＬＡＮカード２２の長さより大きく、かつユーザが無線ＬＡＮカード２２を脱着するために装置背面と後方の物体（壁など）との間に容易に手を差し入れることができる間隔に定められる。この後者の観点からは、閾値は例えば１０〜１２ｃｍ程度に定めることができ、また通常の無線ＬＡＮカード２２の長さはこの程度以下であり前者の条件も満たされる。
【００２７】
近接検知部３６は、検知された距離が閾値より大きければ、例えば、論理信号のＬレベルを出力し、物体が閾値以下に接近した場合にはＨレベルを出力する。この近接検知部３６からの近接出力信号は制御部４４に入力される。制御部４４は近接出力信号に変化があるか否かを監視する（Ｓ１００）。制御部４４は変化を検知した場合、近接出力信号に応じて駆動部４２の動作を開始する。近接出力信号がＨレベルへ変化した場合、すなわち装置背面から閾値以下の距離に物体が接近した状態となった場合には（Ｓ１０５）、制御部４４は無線ＬＡＮカード２２が水平位置６８側から鉛直位置６６側へ移動する向き（図５において時計方向）に回動部７０が回動するようにモータ９６を駆動する（Ｓ１１０）。
【００２８】
無線ＬＡＮカード２２が鉛直位置６６に達すると、遮光用突起部９８-1がエンドセンサ３８-1の発光部と受光部との間の光路を遮断し、受光部からの受光信号レベルが低下する。エンドセンサ３８-1はこの受光信号をセンサ出力として端部検出部４０に供給する。端部検出部４０は、その受光信号レベルが所定値以下となったことに基づいて、回動部７０が鉛直位置６６側の停止位置に達したことを検出し（Ｓ１１５）、制御部４４に通知する。制御部４４はその通知を受け、駆動部４２を停止させる（Ｓ１２０）。
【００２９】
一方、近接出力信号がＬレベルへ変化した場合、すなわち装置背面から閾値以下の距離に物体が存在しない状態となった場合には（Ｓ１０５）、制御部４４は無線ＬＡＮカード２２が鉛直位置６６側から水平位置６８側へ移動する向き（図５において反時計方向）に回動部７０が回動するようにモータ９６を駆動する（Ｓ１３０）。
【００３０】
無線ＬＡＮカード２２が水平位置６８に達すると、遮光用突起部９８-2がエンドセンサ３８-2の発光部と受光部との間の光路を遮断し、受光部からの受光信号レベルが低下する。エンドセンサ３８-2はこの受光信号をセンサ出力として端部検出部４０に供給する。端部検出部４０は、その受光信号レベルが所定値以下となったことに基づいて、回動部７０が水平位置６８側の停止位置に達したことを検出し（Ｓ１３５）、制御部４４に通知する。制御部４４はその通知を受け、駆動部４２を停止させる（Ｓ１２０）。
【００３１】
なお、近接センサ３４は、近接物の検知を常時行うように構成することもできるが、消費電力低減のため、ある程度の時間間隔毎に検知を行うように構成することもできる。また、本体２０に所定距離以内に近接する物体が検知されなくなった場合には、水平位置６８へ向けた回動は直ちには開始せず、その状態がある時間継続した場合に開始するように構成することができる。例えば、その時間として３０秒程度の規定値を設定することができる一方、当該時間をユーザが変更可能に構成することもできる。
【００３２】
また上述の実施形態は、無線ＬＡＮアクセスポイント２に関するものであったが、外部から付加回路モジュールを取り付ける他の電子装置でもよい。
【産業上の利用可能性】
【００３３】
本発明は外部から付加回路モジュールを取り付け可能な電子装置に利用可能であり、例えば、無線ＬＡＮカードを装着される通信装置や情報処理装置に利用可能である。
【図面の簡単な説明】
【００３４】
【図１】インターネット網からパーソナルコンピュータまでの接続形態を示す模式図である。
【図２】無線ＬＡＮアクセスポイントに関する概略のブロック図である。
【図３】無線ＬＡＮアクセスポイントの背面上部を臨む概略の斜視図である。
【図４】回動部の概略の斜視図である。
【図５】スリットに沿った垂直断面上での本体の背面上部の概略の断面図である。
【図６】無線ＬＡＮカードの回動制御の概略のフロー図である。
【符号の説明】
【００３５】
２  無線ＬＡＮアクセスポイント、１０  ＰＣ、１２，２２  無線ＬＡＮカード、２０  本体、３０  インターフェース部、３２，４８  信号処理部、３４  近接センサ、３６  近接検知部、３８  エンドセンサ、４０  端部検出部、４２  駆動部、４４  制御部、４６  電源部、５０  アンテナ部、５２  システム制御部、６０  筐体、６２  スリット、６４  表示部、７０  回動部、７２  軸、７４  アーム、７６  移動基板、７８  カード装着コネクタ、８２  ＬＥＤ、８６  ケーブル、８８  本体基板、９４  シールド、９６  モータ、９８  遮光用突起部。
【図１】
2005079754.tif 000003
【図２】
2005079754.tif 000004
【図３】
2005079754.tif 000005
【図４】
2005079754.tif 000006
【図５】
2005079754.tif 000007
【図６】
2005079754.tif 000008